(57)【要約】【課題】補水作業時の手間を軽減し、部品点数も削減することのできる鉛蓄電池を提供する。【解決手段】各セル上部の電槽蓋２部位に、内部に連通する補水孔２ａおよびフロート装着孔２ｂをそれぞれ形成し、各フロート装着孔２ｂにフロート５を装着するるとともに、電槽蓋２の上面に、これら孔の全ての周囲を一括して囲う周状フランジ２ｃと、補水孔２ａおよびフロート装着孔２ｂを各セル単位で分画する止水フランジ２ｄとからなる補水部Ｓを設け、この周状フランジ２ｃの上端開口を、１つの補水部蓋４で密閉する。【選択図】図１
2008147041.tif 000002
【特許請求の範囲】
【請求項１】
隔壁により区画された複数のセル室を有する電槽と、この電槽の上部開口を塞ぐ電槽蓋と、各セルの電解液の液面高さを表示する複数のフロートとを備える鉛蓄電池において、
前記各セル上部の電槽蓋部位には、セル内部に連通する補水孔およびフロート装着孔がそれぞれ形成され、これら各フロート装着孔には、前記フロートが挿通されているとともに、
前記電槽蓋の上面には、前記補水孔およびフロート装着孔の全てを一括して囲う周状フランジが形成され、この周状フランジの内側には、前記補水孔およびフロート装着孔を各セル単位で分画する複数の止水フランジが形成され、前記周状フランジの上端には、該周状フランジの開口を密閉する１つの補水部蓋が配設されていることを特徴とする鉛蓄電池。
【発明の詳細な説明】
【技術分野】
【０００１】
本発明は、補水部および液面高さ表示用のフロートを有する液式鉛蓄電池の蓋部の構造に関する。
【背景技術】
【０００２】
液式の鉛蓄電池の中には、充放電の繰り返しによるセル内の電解液の減少を観測するために、電解液の液面高さを表示するフロートを備えたものがある（例えば、特許文献１等を参照。）。図２は、このような液面高さ表示用のフロートを有する従来の鉛蓄電池の構成を示す断面図である。
【０００３】
この液式鉛蓄電池は、樹脂製の電槽１１と電槽蓋１２とから構成されている。電槽１１は、その内部が隔壁１１ａによって複数（通常６箇所）のセル室に区画された方形の容器であり、各セルには、それぞれ発電要素が収納されるとともに電解液が充填されている。
【０００４】
電槽蓋１２は、この電槽１１の上端開口部を塞いで封止するものであり、内部の各セルの間も封止するようになっている。なお、この電槽蓋１２には、正極端子と負極端子が設けられ、電槽１１内で直列接続された複数個の発電要素に接続されている。
【０００５】
また、電槽蓋１２には、電槽１１の各セルに通じる注液口１２ａが、セルと同数設けられており、これらの注液口１２ａには、それぞれ液口栓Ｃが装着されている。この液口栓Ｃは、各セル内の電解液の液面高さを観測するためのフロート１５を備える「フロート付き液栓」であり、注液口１２ａの内周に螺着などで嵌め入れられる略筒状の液栓本体１３と、この液栓本体１３の上部開口を密閉する液栓蓋（液栓キャップ）１４と、フロート１５とから構成されている。
【０００６】
なお、液栓本体１３の内部は、鉛蓄電池使用時に電解液等を補水するのに用いられる補水孔１３ａと、フロート１５を上下動自在に支持するフロート挿通孔１３ｂとに区画されており、透明あるいは半透明に形成された液栓蓋１４を通じて、挿通孔１３ｂに取り付けられたフロート１５の上側先端部の位置を確認できるようになっている。
【特許文献１】実開平２−３６５９号公報
【発明の開示】
【発明が解決しようとする課題】
【０００７】
ところで、以上のような従来のフロート付き液栓を有する液式鉛蓄電池は、補水の度に、多数ある液栓蓋（キャップ）をひとつひとつ開け閉めする必要があり、補水作業に手間と時間がかかる構造であった。
【０００８】
また、各セル毎に液栓蓋があるため、部品点数が多い構成となっていた。
【０００９】
本発明は、上記する課題に対処するためになされたものであり、補水作業時の手間を軽減し、部品点数も削減することのできる鉛蓄電池を提供することを目的としている。
【課題を解決するための手段】
【００１０】
前記の目的を達成するために、請求項１に記載の発明は、隔壁により区画された複数のセル室を有する電槽と、この電槽の上部開口を塞ぐ電槽蓋と、各セルの電解液の液面高さを表示する複数のフロートとを備える鉛蓄電池において、前記各セル上部の電槽蓋部位には、セル内部に連通する補水孔およびフロート装着孔がそれぞれ形成され、これら各フロート装着孔には、前記フロートが挿通されているとともに、前記電槽蓋の上面には、前記補水孔およびフロート装着孔の全てを一括して囲う周状フランジが形成され、この周状フランジの内側には、前記補水孔およびフロート装着孔を各セル単位で分画する複数の止水フランジが形成され、前記周状フランジの上端には、該周状フランジの開口を密閉する１つの補水部蓋が配設されていることを特徴とする。
【発明の効果】
【００１１】
本発明は、補水部および液面高さ表示用のフロートを有する液式鉛蓄電池において、各セル毎に補水用の穴とフロート装着用の穴を別々に形成し、これらセル間の電槽蓋上面に、電解液の移動を防止する止水壁を設けるとともに、これらの構造の上方に、電解液の漏れと蒸散を防止する密閉空間を形成することによって、所期の目的を達成しようとするものである。
【００１２】
すなわち、請求項１に記載の発明によれば、各セル上部の電槽蓋部位に、内部に連通する補水孔およびフロート装着孔をそれぞれ形成し、各フロート装着孔にフロートを装着するるとともに、電槽蓋の上面に、これら孔の全てを一括して囲う周状フランジと、補水孔およびフロート装着孔を各セル単位で分画する止水フランジとからなる補水部を設け、この周状フランジの上端開口を１つの補水部蓋で密閉することにより、この補水部蓋の一度の開放操作だけで、全ての補水孔を露出させることが可能になる。従って、本発明の鉛蓄電池は、従来品に比して、補水作業にかかる時間と手間と軽減することができる。
【００１３】
また、各セル毎に液栓や液栓蓋を装着する必要がなく、蓄電池の部品点数と組立作業にかかる時間を低減することが可能である。従って、本発明の鉛蓄電池は、電池のコスト低減に寄与することができる。
【発明を実施するための最良の形態】
【００１４】
以下、図面を参照しつつこの発明を実施するための形態について説明する。
図１は、本発明の実施形態における鉛蓄電池の構成を示す断面図である。
【００１５】
この実施形態における鉛蓄電池も、電解液の液面高さを表示するフロート５を備えたものであり、隔壁１ａによって複数（通常６箇所）のセル室に区画された樹脂製の電槽１と、この電槽１の上部（図示上方）開口を塞ぐ電槽蓋２とを主体として構成されている。なお、従来例と同様、各セル室の内部には、それぞれ発電要素が収納され、電解液が充填されている。
【００１６】
また、本実施形態における鉛蓄電池は、従来の鉛蓄電池の注液口に装着されるフロート付き液栓（Ｃ）に代わり、各セル上部の電槽蓋２部位に、セル内部に連通する補水孔２ａおよびフロート装着孔２ｂがそれぞれ形成され、各フロート装着孔２ｂには、フロート５が挿通されている点である。なお、フロート装着孔２ｂの開口には、これらフロートを上下動自在に支持するフロート支持部材３が取り付けられている。
【００１７】
本実施形態における鉛蓄電池の特徴は、電槽蓋２の上面に、これら電槽蓋２に形成された孔の全てを一括して囲う周状フランジ２ｃと、補水孔２ａおよびフロート装着孔２ｂを各セル単位で分画する止水フランジ２ｄとからなる補水部Ｓが設けられているとともに、この周状フランジの上端開口に、該補水部Ｓ全体を密閉する補水部蓋４が配設されている点である。
【００１８】
以上の構成により、この鉛蓄電池は、補水部蓋４の一度の開閉操作だけで、全てのセルの補水孔２ａを露出・密閉させることができるようになる。従って、本発明の鉛蓄電池は、従来品に比して、補水作業にかかる時間と手間とを大幅に軽減することが可能になる。
【００１９】
なお、特に限定されたものではないが、本発明の鉛蓄電池における補水部蓋４も、従来例における液栓蓋（１４）と同様、フロート高さの確認のために、透明あるいは半透明な材料から構成することが望ましい。また、耐硫酸性を有する材料（樹脂）を用いることは勿論、これら周状フランジ２ｃと補水部蓋４との間にシール部材（パッキン等）を介在配置しても良い。
【図面の簡単な説明】
【００２０】
【図１】本発明の実施形態における鉛蓄電池の構成を示す断面図である。
【図２】従来の液式鉛蓄電池の構成を示す断面図である。
【符号の説明】
【００２１】
１  電槽
１ａ  隔壁
２  電槽蓋
２ａ  補水孔      ２ｂ  フロート装着孔
２ｃ  周状フランジ      ２ｄ  止水フランジ
３  フロート支持部材
４  補水部蓋
５  フロート
１１  電槽
１１ａ  隔壁
１２  電槽蓋
１２ａ  注液口
１３  液栓本体
１３ａ  補水孔      １３ｂ  フロート挿通孔
１４  液栓蓋
１５  フロート
Ｃ  フロート付き液栓
Ｓ  補水部
【図１】
2008147041.tif 000003
【図２】
2008147041.tif 000004